(57)【特許請求の範囲】
【請求項１】
被写体側に光学アクセサリを取付け可能なレンズ装置であって、
該光学アクセサリを保持する光学アクセサリ保持鏡筒の取付けに伴って光学系の配置を変更することなくレンズ装置の被写体側端のレンズ保護鏡筒が光軸方向に退避し、
該光学アクセサリ保持鏡筒を該レンズ装置から取外すことにより、光軸方向に退避していた該レンズ保護鏡筒が該光学アクセサリ保持鏡筒を取付ける前の位置に復帰する、
ことを特徴とするレンズ装置。
【請求項２】
前記光学アクセサリ保持鏡筒が取付けられてない時に、前記レンズ保護鏡筒を光軸方向に押圧しても該レンズ保護鏡筒が光軸方向に退避しないことを特徴とする請求項１に記載のレンズ装置。
【請求項３】
付勢手段により半径方向外側に向けて付勢されるとともに、前記レンズ装置の前記光学アクセサリ保持鏡筒の取付け部に延出し、前記レンズ保護鏡筒の光軸方向の移動を係止する係止部材を備え、
該光学アクセサリ保持鏡筒の取付けに伴い該係止部材が半径方向内側に向けて押圧されることで該レンズ保護鏡筒の光軸方向の係止が解除される、
ことを特徴とする請求項２に記載のレンズ装置。
【請求項４】
複数の前記係止部材を備えることを特徴とする請求項３に記載のレンズ装置。
【請求項５】
前記係止部材と前記付勢手段が一体に形成されていることを特徴とする請求項３または４に記載のレンズ装置。
【請求項６】
前記レンズ保護鏡筒が摺動可能に装着されている該レンズ装置の鏡筒は、該レンズ保護鏡筒の一部と係合する係止部を備え、
該レンズ保護鏡筒の一部と該係止部は、円周方向の所定の位相においてのみ、該レンズ保護鏡筒が該鏡筒に対して光軸方向に摺動可能であり、該レンズ保護鏡筒が該鏡筒に対して光軸方向の所定の位置である場合にのみ、円周方向の所定の位相範囲で円周方向に摺動可能であるように、構成されている、
ことを特徴とする請求項２に記載のレンズ装置。
【請求項７】
前記光学アクセサリ保持鏡筒は光学フィルタを有することを特徴とする請求項１乃至６のいずれか１項に記載のレンズ装置。
【請求項８】
前記光学アクセサリ保持鏡筒はフードを有することを特徴とする請求項７に記載のレンズ装置。
【発明の詳細な説明】
【技術分野】
【０００１】
本発明は被写体側に光学アクセサリを取付け可能なレンズ装置に関するものである。
【背景技術】
【０００２】
カメラやビデオカメラなど撮像装置のレンズ装置は、レンズ装置を置いた際などにレンズを傷つけないよう保護するため、一般的に最前面のレンズよりも鏡筒の被写体側端を被写体側に突出させている。以下、最前面のレンズよりも被写体側に突出した鏡筒をレンズ保護鏡筒と呼ぶ。
【０００３】
従来から、このようなレンズ装置の前方（被写体側）に取付けられる光学アクセサリが市販されており、例えば、光学フィルタやテレコンバータ、ワイドコンバータ、ワイドアタッチメント、フィッシュアイアタッチメント、クローズアップレンズなどが知られている（例えば特許文献１）。これらの光学アクセサリの中には、最後部の光学要素の外径が前記レンズ保護鏡筒の外径よりも大きなものも含まれる。光学アクセサリはレンズ装置に取付けた際、光学要素とレンズ装置との干渉を避けるように設計されている。
【０００４】
光学アクセサリのレンズ装置への取付けについて、光学フィルタのレンズ装置への取り付けの例を取り上げ、以下に説明する。光学フィルタのレンズ装置への取付けは光学アクセサリ保持鏡筒を介して行われる。光学フィルタの外周部および光学アクセサリ保持鏡筒の内周部にはネジ部が設けられており、両者を螺合させることで光学フィルタを光学アクセサリ保護鏡筒に固定する。光学アクセサリ保持鏡筒の取付け部内径とレンズ装置の光学アクセサリ取付け部外径は略同径であり、取付けの際にはまず光学アクセサリ保持鏡筒をレンズ装置の前方から挿入する。次に、光学アクセサリ保持鏡筒の後端がレンズ装置外周部のフランジ部に当接したところで、光学アクセサリ保持鏡筒のロックネジを締め付ける。光学アクセサリ保持鏡筒の取付け部内径側には、一端を光学アクセサリ保持鏡筒に固定された円弧状の係止部材が配設されており、ロックネジを締め付けると押圧されて弾性変形した前記係止部材の一部がレンズ装置外周に設けられた溝に係合し、光学アクセサリ鏡筒をレンズ装置に固定することができる。
【０００５】
一方、沈胴式のレンズ装置を一部とする撮像装置において、光学アクセサリを前方に取付け可能な光学アクセサリ保持鏡筒の取付けを検出するスイッチを備え、前記検出スイッチの動作に基づいて沈胴式レンズ装置の被写体側端を光学アクセサリの光学素子の後端よりも後方に制限するものが提案されている（例えば特許文献２）。
【先行技術文献】
【特許文献】
【０００６】
【特許文献１】特開２００１−３３３３１５号公報
【特許文献２】特開２００４−３３３７７８号公報
【発明の概要】
【発明が解決しようとする課題】
【０００７】
一般的に、光学アクセサリをレンズ装置に取付けた撮影光学系においてケラレが発生しないようにするためには、レンズ装置最前面のレンズと光学アクセサリの光学要素との間隔が広いほど光学アクセサリの光学要素の径方向寸法を大きくする必要がある。これに対し、光学アクセサリの中には光学要素とレンズ装置のレンズ保護鏡筒の被写体側端との干渉が制約となり、光学アクセサリの光学要素とレンズ装置最前面のレンズとの間隔を接近させることが困難なものがある。最後部の光学要素の外径がレンズ保護鏡筒の外径よりも大きな光学アクセサリの多くはこの条件に当てはまる。このため、従来のレンズ装置に取付けられるこのような光学アクセサリは大型化・重量化が避けられないという問題があった。
【０００８】
特許文献２では、ワイド側のズーム域に限定して使用する光学アクセサリとレンズ装置最前面との間隔を従来よりも狭めることで前記光学アクセサリの小型化を図る方法が提案されている。しかし、レンズ装置はズームによって最前面が前後する沈胴式レンズ装置に限定されるものであり、また、光学アクセサリ全般に適用可能なものではない。
【０００９】
本発明の目的は、上述の問題点を解消し、光学要素とレンズ保護鏡筒との干渉が制約となり、光学要素とレンズ装置最前面のレンズとの間隔を接近させることが困難であった光学アクセサリの小型化、軽量化に有利となるレンズ装置を提供することにある。
【課題を解決するための手段】
【００１０】
上記目的を達成するための本発明に係るレンズ装置は、被写体側に光学アクセサリを取付け可能なレンズ装置であって、該光学アクセサリを保持する光学アクセサリ保持鏡筒の取付けに伴って光学系の配置を変更することなくレンズ装置の被写体側端のレンズ保護鏡筒が光軸方向に退避し、該光学アクセサリ保持鏡筒を該レンズ装置から取外すことにより、光軸方向に退避していた該レンズ保護鏡筒が該光学アクセサリ保持鏡筒を取付ける前の位置に復帰することを特徴とする。
【発明の効果】
【００１１】
本発明に係るレンズ装置によれば、レンズ保護鏡筒との干渉に制限されることなく光学アクセサリの光学要素をレンズ装置最前面のレンズに接近させることができるため、光学アクセサリの小型化、軽量化を図る上で有利となるレンズ装置を提供することができる。
【図面の簡単な説明】
【００１２】
【図１】実施例１の（ａ）レンズ装置および光学アクセサリの側面断面図、（ｂ）光学アクセサリをレンズ装置に取付けた状態を示す側面断面図である。
【図２】（ａ）係止穴近傍の構造を示す斜視図、（ｂ）ストッパーコマの斜視図である。
【図３】実施例２の（ａ）レンズ装置および光学アクセサリの側面断面図、（ｂ）光学アクセサリをレンズ装置に取付けた状態を示す側面断面図である。
【図４】（ａ）係止穴近傍の構造を示す斜視図、（ｂ）係止部材の斜視図である。
【図５】実施例３の（ａ）レンズ装置および光学アクセサリの側面断面図、（ｂ）光学アクセサリをレンズ装置に取付ける過程を示す側面断面図、（ｃ）光学アクセサリをレンズ装置に取付けた状態を示す側面断面図である。
【図６】実施例３の主要部品を並べた分解斜視図である。
【図７】図１２の（ａ）突起ｃ近傍、（ｂ）クリック溝近傍、（ｃ）フック溝近傍、を示す部分拡大図である。
【図８】実施例４の（ａ）レンズ装置および光学アクセサリの側面断面図、（ｂ）光学アクセサリをレンズ装置に取付けた状態を示す側面断面図である。
【図９】実施例５の（ａ）レンズ装置および光学アクセサリの側面断面図、（ｂ）光学アクセサリをレンズ装置に取付けた状態を示す側面断面図である。
【発明を実施するための形態】
【００１３】
本発明を図１〜図９に図示の実施例に基づいて詳細に説明する。
【実施例１】
【００１４】
図１は本発明が適用されるレンズ装置の第１の実施形態における要部側面断面図である。レンズ装置は広角タイプのレンズ装置であり、レンズ保護鏡筒３１の被写体側端が最前面のレンズ１１よりも前側に突出するとともに、撮像領域の四隅がケラレないように鏡筒の一部に切り欠きが設けられている。レンズ保護鏡筒３１の外径はアクセサリ固定鏡筒４１と嵌合しており摺動可能である。また、レンズ保護鏡筒３１の内径はレンズ保持鏡筒２１と嵌合しており摺動可能である。レンズ保護鏡筒３１のレンズ保持鏡筒２１との嵌合部の被写体側端にはテーパが設けられており、レンズ保持鏡筒２１のレンズ保護鏡筒３１との嵌合部の被写体側端にも同様のテーパが設けられている。レンズ保護鏡筒３１の円周面には図２（ａ）のように長手方向が中心軸と平行な鍵穴型の係止穴３２と長穴３３が貫通して設けられている。この係止穴３２は円周方向に均等に４箇所設けられている。図１に図示しない固定ピン５４はレンズ保持鏡筒２１に固定され、図２（ａ）のようにレンズ保護鏡筒３１の長穴３３に嵌合している。レンズ保護鏡筒３１の後方にはコイルバネ５３が備えられており、レンズ保護鏡筒３１は被写体側へ付勢されている。レンズ保持鏡筒２１にはレンズ保護鏡筒３１の係止穴３２と角度位相を同じくして矩形のガイド穴２２が設けられている。ガイド穴２２はレンズ保持鏡筒２１を貫通し、一端はネジ部でレンズ保持鏡筒２１に固定される内蓋環２３によって塞がれている。ガイド穴２２には図２（ｂ）に示すようなストッパーコマ５１が挿入され、ストッパーコマ５１はバネ５２によって半径方向外側に向けて付勢されている。ストッパーコマ５１はアクセサリ固定鏡筒４１に設けられた穴から外周取付け部に延出している。ストッパーコマ５１の先端部には斜面が形成されており、斜面が被写体側に面するように組みつけられている。ストッパーコマ５１の中段部の外径は前記係止穴３２の後方円形部の穴径と略等しく、また上段部の外径は係止穴３２の被写体側の長穴部の幅よりも小さい設定となっている。
【００１５】
光学アクセサリ保持鏡筒６１を取付けない状態においては、ストッパーコマ５１の中段部が係止穴３２の後方円形部に嵌っているため、被写体側から押圧してもレンズ保護鏡筒３１は光軸方向に移動しない構造となっている。なお、光学アクセサリ保持鏡筒６１を取付けない状態においては、レンズ保護鏡筒３１は前記テーパがレンズ保持鏡筒２１の前記テーパに当接しコイルバネ５３により付勢されているため、光軸方向および径方向のがたつきが抑制されている。
【００１６】
一方、光学アクセサリ保持鏡筒６１には内周部にネジ部が設けられており光学フィルタ１２が固定される。光学アクセサリ保持鏡筒６１の取付け部内径とレンズ装置のアクセサリ固定鏡筒４１の取付け部外径は略同径となっており、光学アクセサリ保持鏡筒６１には取付け部よりもさらに内径側に突出したフランジ６２が設けられている。また、光学アクセサリ保持鏡筒６１の取付け部内径側には、一端を光学アクセサリ保持鏡筒６１に固定された円弧状の係止部材７２が配設されており、係止部材７２の背面には押圧のためのロックネジ７１が備えられている。
【００１７】
このように構成された本実施例のレンズ装置において光学アクセサリ保持鏡筒６１を取付ける操作について以下に詳述する。
【００１８】
まず、光学アクセサリ保持鏡筒６１をレンズ装置の被写体側から挿入していく。光学アクセサリ保持鏡筒６１の後端がストッパーコマ５１に当接した後さらに光学アクセサリ保持鏡筒６１を挿入していくと、ストッパーコマ５１は先端の斜面に沿ってレンズの内径方向に退避していくことになる。ストッパーコマ５１が延出していた穴を光学アクセサリ保持鏡筒６１が覆うと、ストッパーコマ５１の先端は取付け部から完全に退避する。この時、ストッパーコマ５１の中段部が係止穴３２の後方円形部から抜け出る。ストッパーコマ５１の上段部は係止穴３２よりも小径であるため、レンズ保護鏡筒３１は被写体側からの押圧力に伴って光軸方向に移動可能な状態となる。さらに光学アクセサリ保持鏡筒６１を挿入すると、光学アクセサリ保持鏡筒６１の前記フランジ６２がレンズ保護鏡筒３１の外周部の段差に当接し、光学アクセサリ保持鏡筒６１と一体となってレンズ保護鏡筒３１が後方に移動する。光学アクセサリ保持鏡筒６１の後端がアクセサリ固定鏡筒４１の外周のフランジ部に当接したところでロックネジ７１を締め付けることにより、前記円弧状の係止部材７２がアクセサリ固定鏡筒４１の外周に設けられた溝に係合し、光学アクセサリ保持鏡筒６１をレンズ装置に固定することができる。なお、光学フィルタ１２の光学アクセサリ保持鏡筒６１への取付けは、光学アクセサリ保持鏡筒６１をレンズ装置に取付ける操作の前であっても後であっても構わない。
【００１９】
一方、光学アクセサリ保持鏡筒６１のレンズ装置からの取外しは、ロックネジ７１を緩めた後、光学アクセサリ保持鏡筒６１を被写体側に抜き出すことによって行われる。光学アクセサリ保持鏡筒６１のフランジ６２による押圧を除されたレンズ保護鏡筒３１は、コイルバネ５３の付勢力によりレンズ保護鏡筒３１に設けられた前記テーパとレンズ保持鏡筒２１に設けられた前記テーパが当接する位置まで被写体側に移動する。この時、ストッパーコマ５１の中段部の軸と前記係止穴３２の後方円形部の軸は光軸方向に位置が略一致するため、バネ５２の付勢力によりストッパーコマ５１の中段部が係止穴３２の後方円形部に嵌り込み、レンズ保護鏡筒３１は再び光軸方向に移動できない状態となる。
なお、本実施例では前記固定ピン５４と前記長穴３３の嵌合によってレンズ保持鏡筒２１に対するレンズ保護鏡筒３１の相対的な回転が抑制されるため、精度良くストッパーコマ５１の中段部が係止穴３２の後方円形部に嵌り込むことができる。
【００２０】
上記のように、本実施例のレンズ装置によれば、光学アクセサリ保持鏡筒６１をレンズ装置に取付ける簡便な操作に伴って光学系の配置を変更することなくレンズ保護鏡筒３１が光軸方向に退避させることが可能となる。このため、光学アクセサリの光学要素をレンズ保護鏡筒３１と干渉させることなくレンズ装置最前面のレンズ１１に接近させることができ、光学アクセサリの小型化、軽量化を図る上で有利となる。
【００２１】
本実施例のレンズ装置は、光学アクセサリ保持鏡筒６１を取付けない状態では被写体側から押圧してもレンズ保護鏡筒３１が光軸方向に移動しないため、光学アクセサリ保持鏡筒６１を取付けない状態でレンズ装置を置いても最前面のレンズ１１を傷つけることがない。
【００２２】
また、光学アクセサリ保持鏡筒６１を取付ける操作に伴ってレンズ保護鏡筒３１が光軸方向に退避するため、レンズ最前面のレンズ１１がレンズ装置の被写体側端となった状態でレンズ装置を置かれ、レンズ１１が傷つくことはない。
【００２３】
また、光学アクセサリ保持鏡筒６１を取外す操作に伴って、退避していたレンズ保護鏡筒３１が光学アクセサリ取付け前の位置に復帰し光軸方向に固定されるため、レンズ最前面のレンズ１１がレンズ装置の被写体側端となった状態でレンズ装置を置かれ、レンズ１１が傷つくことはない。
【００２４】
さらに、本実施例のレンズ装置はストッパーコマ５１を複数個備えているため、光学アクセサリ保持鏡筒６１を取付ける場合以外に、誤ってストッパーコマ５１が内径方向に退避しレンズ保護鏡筒３１が移動する可能性は低く安全である。
【実施例２】
【００２５】
図３は本発明が適用されるレンズ装置の第２の実施形態における要部側面断面図であり、実施例１と同一符号は同じ部材を示している。以下、実施例１と構成が異なる点について説明する。
【００２６】
レンズ保護鏡筒３５の円周面には図４（ａ）のようにＴ字型の係止穴３６と長手方向が中心軸と平行な長穴３７が貫通して設けられている。この係止穴３６は円周方向に均等に４箇所設けられている。レンズ保持鏡筒２５にはレンズ保護鏡筒３５の係止穴３６と角度位相を同じくして凹状のストッパー逃げ２６が設けられ、図４（ｂ）に示すようなストッパー部材５５が配設されている。ストッパー部材５５はアクセサリ固定鏡筒４２に設けられた穴から外周取付け部に延出しており、ストッパー部材５５の先端部には斜面が形成されている。ストッパー部材５５の突起部５５ａの円周方向幅は、係止穴３６被写体側の光軸に平行な穴部の円周方向幅よりも小さい設定となっている。一方、ストッパー部材５５の係止部５５ｂの円周方向幅は、係止穴３６被写体側の光軸に平行な穴部の円周方向幅よりも大きい設定となっており、係止穴３６後方の円周方向の穴幅よりも小さい設定となっている。
【００２７】
光学アクセサリ保持鏡筒６１を取付けない状態において、図４（ａ）に示すようにストッパー部材５５の突起部５５ａは係止穴３６の光軸に平行な穴部と円周方向の穴部の略交点に位置する。この時、ストッパー部材５５の係止部５５ｂと係止穴３６の間には、少なくともストッパー部材５５の突起部５５ａを半径方向内側に向けて押圧し薄肉部を弾性変形させた場合にも両者が当接しないだけの間隔が空いている。ただし、この間隔はレンズ装置最前面のレンズ１１に対するレンズ保護鏡筒３５被写体側端の突出量よりも小さく設定されている。上記の構成により、光学アクセサリ保持鏡筒６１を取付けない状態においては、被写体側から押圧してもレンズ保護鏡筒３５はストッパー部材５５の係止部５５ｂと係止穴３６の間隔距離を超えて光軸方向に移動することのない構造となっている。
【００２８】
このように構成された本実施例のレンズ装置において光学アクセサリ保持鏡筒６１を取付ける操作について以下に詳述する。
【００２９】
まず、光学アクセサリ保持鏡筒６１をレンズ装置の被写体側から挿入していく。光学アクセサリ保持鏡筒６１の後端がストッパー部材５５に当接した後さらに光学アクセサリ保持鏡筒６１を挿入していくと、ストッパー部材５５は先端の斜面によりレンズの半径方向内側に向けて押圧される。ストッパー部材５５は一端をレンズ保持鏡筒２５に固定されているため、先端がレンズの半径方向内側に向けて押圧されると薄肉部が弾性変形し、先端部近傍が略円弧状の軌跡で内径方向に退避していくことになる。ストッパー部材５５が延出していた穴を光学アクセサリ保持鏡筒６１が覆うと、ストッパー部材５５の先端は取付け部から完全に退避する。この時、ストッパー部材５５の係止部５５ｂはレンズ保護鏡筒３５の内径よりもさらに内側に退避しているため、レンズ保護鏡筒３５は被写体側からの押圧力に伴って光軸方向に移動可能な状態となる。さらに光学アクセサリ保持鏡筒６１を挿入すると、光学アクセサリ保持鏡筒６１のフランジ６２がレンズ保護鏡筒３５外周部の段差に当接し、光学アクセサリ保持鏡筒６１と一体となってレンズ保護鏡筒３５が後方に移動する。光学アクセサリ保持鏡筒６１の後端がアクセサリ固定鏡筒４２外周のフランジ部に当接したところでロックネジ７１を締め付けることにより、光学アクセサリ保持鏡筒６１をレンズ装置に固定することができる。
【００３０】
一方、光学アクセサリ保持鏡筒６１のレンズ装置からの取外しは、ロックネジ７１を緩めた後、光学アクセサリ保持鏡筒６１を被写体側に抜き出すことによって行われる。光学アクセサリ保持鏡筒６１のフランジ６２による押圧を除されたレンズ保護鏡筒３５は、コイルバネ５６の付勢力によりレンズ保護鏡筒３５に設けられた前記テーパとレンズ保持鏡筒２５に設けられた前記テーパが当接する位置まで被写体側に移動する。同時に、弾性変形して先端部が内径方向に退避していたストッパー部材５５は、自身の弾性力により光学アクセサリ保持鏡筒６１をレンズ装置に取付ける前の形状に復元する。
【００３１】
上記のように、本実施例のレンズ装置によれば、光学アクセサリ保持鏡筒６１をレンズ装置に取付ける簡便な操作に伴ってレンズ保護鏡筒３５が光軸方向に退避する。このため、光学アクセサリの光学要素をレンズ保護鏡筒３５と干渉させることなくレンズ装置最前面のレンズ１１に接近させることができ、光学アクセサリの小型化、軽量化を図る上で有利となる。
【００３２】
本実施例のレンズ装置は、光学アクセサリ保持鏡筒６１を取付けない状態では被写体側から押圧してもレンズ保護鏡筒３５被写体側端が最前面のレンズ１１よりも後方に移動しないため、光学アクセサリ保持鏡筒６１を取付けない状態でレンズ装置を置いても最前面のレンズ１１を傷つけることがない。
【００３３】
また、光学アクセサリ保持鏡筒６１を取付ける操作に伴ってレンズ保護鏡筒３５が光軸方向に退避するため、レンズ最前面のレンズ１１がレンズ装置の被写体側端となった状態でレンズ装置を置かれ、レンズ１１が傷つくことはない。
【００３４】
また、光学アクセサリ保持鏡筒６１を取外す操作に伴って、退避していたレンズ保護鏡筒３５が光学アクセサリ取付け前の位置に復帰し光軸方向に固定されるため、レンズ最前面のレンズ１１がレンズ装置の被写体側端となった状態でレンズ装置を置かれ、レンズ１１が傷つくことはない。
【００３５】
さらに、本実施例のレンズ装置はストッパー部材５５を複数個備えているため、光学アクセサリ保持鏡筒６１を取付ける場合以外に、誤ってストッパー部材５５が内径方向に退避しレンズ保護鏡筒３５が移動する可能性は低く安全である。
【実施例３】
【００３６】
図５は本発明が適用されるレンズ装置の第３の実施形態における要部側面断面図であり、実施例１と同一符号は同じ部材を示している。また、図６は本実施例に係る光学アクセサリ保持鏡筒６３、レンズ保護鏡筒８１、アクセサリ固定鏡筒４３を模式的に並べた分解斜視図である。
【００３７】
レンズ装置は広角タイプのレンズ装置であり、レンズ保護鏡筒８１の被写体側端が最前面のレンズ１１よりも前側に突出するとともに、撮像領域の四隅がケラレないように鏡筒の一部に切り欠きが設けられている。レンズ保護鏡筒８１の内径はレンズ保持鏡筒２８と嵌合しており、摺動可能である。レンズ保護鏡筒８１の外周部には突起b８２と円弧状のフランジ部８３が形成されている。また、フランジ部８３の後端の一部には図７（ａ）に示すような突起ｃ８４が形成されている。突起ｃ８４の被写体側には肉抜き穴８５が設けられており、レンズ保護鏡筒８１の突起ｃ８４近傍が弾性変形可能となっている。上述の突起ｂ８２、フランジ部８３、突起ｃ８４、肉抜き穴８５はいずれも円周方向に均等に４箇所ずつ設けられている。レンズ保護鏡筒８１は、アクセサリ固定鏡筒４３に摺動可能に装着されている。アクセサリ固定鏡筒４３の内周側には、レンズ保護鏡筒８１の前記フランジ部８３が光軸方向に摺動可能なフランジ逃げ４４と前記フランジ部８３が円周方向に摺動可能な係合溝４５が設けられ、このフランジ逃げ４４と係合溝４５は一部が連結されている。係合溝４５の一部には図７（ｂ）に示すようなクリック溝４６が併設されている。上述のフランジ逃げ４４、係合溝４５、クリック溝４６はいずれも円周方向に均等に４箇所ずつ設けられている。光学アクセサリを取付けない撮影状態においては、レンズ保護鏡筒８１のフランジ部８３がアクセサリ固定鏡筒４３の係合溝４５に係合するとともに、突起ｃ８４がクリック溝４６側面に当接している。この時、レンズ保護鏡筒８１の突起ｃ８４近傍は弾性変形した状態であり、自身の弾性力によりレンズ保護鏡筒８１は被写体側に付勢されている。フランジ部８３および係合溝４５の被写体側にはそれぞれテーパが設けられているため、光学アクセサリを取付けない撮影状態におけるレンズ保護鏡筒８１は光軸方向および径方向のがたつきが抑制されている。また、フランジ部８３が係合溝４５に係合しているため被写体側から押圧してもレンズ保護鏡筒８１は光軸方向に移動しない。
【００３８】
レンズ保護鏡筒８１をアクセサリ固定鏡筒４３に対して被写体側から見た時計回りに一定トルク以上の付勢力で回転させると、レンズ保護鏡筒８１の突起ｃ８４近傍はさらに弾性変形し、突起ｃ８４はクリック溝４６から抜け出ることができる。さらにフランジ部８３とフランジ逃げ４４の位相が一致するまでレンズ保護鏡筒８１を回転させることにより、レンズ保護鏡筒８１が光軸方向に移動可能となる。
【００３９】
すなわち、レンズ保護鏡筒８１の一部であるフランジ部８３と、アクセサリ固定鏡筒４３の内周側に構成されたフランジ逃げ４４と係合溝４５（係止部）との係合により、円周方向の所定の位相においてのみ、レンズ保護鏡筒８１はアクセサリ固定鏡筒４３に対して光軸方向に摺動可能となる。また、レンズ保護鏡筒８１がアクセサリ固定鏡筒４３に対して光軸方向の所定の位置である場合にのみ、レンズ保護鏡筒８１はアクセサリ固定鏡筒４３に対して円周方向の所定の位相範囲内で円周方向に摺動可能となる。
【００４０】
一方、光学アクセサリ保持鏡筒６３は取付け部の形状のみ実施例１と異なる構成となっている。光学アクセサリ保持鏡筒６３の取付け部内径側には、突起ａ６４と図７（ｃ）に示すようなＬ字型のフック溝６５が設けられている。突起a６４はアクセサリ固定鏡筒４３の外周に設けられたクランク状のガイド溝４７に収容される寸法に設定されている。またフック溝６５はレンズ保護鏡筒８１の突起ｂ８２を収容する寸法に設定されている。上述の突起ａ６４、フック溝６５、ガイド溝４７はいずれも円周方向に均等に４箇所ずつ設けられている。
【００４１】
このように構成された本実施例のレンズ装置において光学アクセサリ保持鏡筒６３を取付ける操作について以下に詳述する。
【００４２】
まず、突起ａ６４をガイド溝４７に沿わせて光学アクセサリ保持鏡筒６３をレンズ装置の被写体側から挿入していく。突起ａ６４が図５（ｂ）のようにガイド溝４７の円周方向溝部に到達すると同時に突起ｂ８２はフック溝６５に収容される。
【００４３】
次に、突起ａ６４をガイド溝４７の円周方向溝部に沿わせ光学アクセサリ保持鏡筒６３を被写体側から見た時計回りに一定トルク以上の付勢力で回転させると、突起ｂ８２がフック溝６５に掛かったレンズ保護鏡筒８１は光学アクセサリ保持鏡筒６３と一体となって回転を開始する。なお、ここで一定トルク以下の微小な付勢力を光学アクセサリ保持鏡筒６３に付与した場合には、突起ｃ８４がクリック溝４６を抜け出ることができないため光学アクセサリ保持鏡筒６３およびレンズ保護鏡筒８１を回転させることはできない。
【００４４】
回転操作により突起ａ６４がガイド溝４７の円周方向溝部の端に到達すると、同時にフランジ部８３がフランジ逃げ４４と同じ位相に到達するように設定されている。この状態から突起ａ６４をガイド溝４７に沿わせ光学アクセサリ保持鏡筒６３を後方へさらに挿入していくと、図５（ｃ）のようにレンズ保護鏡筒８１は光学アクセサリ保持鏡筒６３と一体となって後方へ移動する。
【００４５】
光学アクセサリ保持鏡筒６３の後端がアクセサリ固定鏡筒４３外周のフランジ部に当接したところでロックネジ７１を締め付けることにより、光学アクセサリ保持鏡筒６３をレンズ装置に固定することができる。
一方、光学アクセサリ保持鏡筒６３のレンズ装置からの取外しは以下のように行う。
【００４６】
ロックネジ７１を緩めた後、まず突起ａ６４をガイド溝４７に沿わせ光学アクセサリ保持鏡筒６３を被写体側に抜き出す。この時、突起ｂ８２がフック溝６５に掛かったレンズ保護鏡筒８１は光学アクセサリ保持鏡筒６３と一体となって被写体側に移動する。
【００４７】
突起ａ６４が図５（ｂ）のようにガイド溝４７の円周方向溝部に到達した後、突起ａ６４をガイド溝４７に沿わせて被写体側から見た反時計回りに光学アクセサリ保持鏡筒６３を回転させると、レンズ保護鏡筒８１は光学アクセサリ保持鏡筒６３と一体となって回転し、フランジ部８３が係合溝４５に係合していく。フランジ部８３後端の突起ｃ８４が係合溝４５の入口に当接したところで一定トルク以上の付勢力を光学アクセサリ保持鏡筒６３に付与すると、レンズ保護鏡筒８１の突起ｃ８４近傍が弾性変形し突起ｃ８４が係合溝４５内に収容される。突起ｃ８４とクリック溝４６の位相が一致したところで突起ｃ８４はクリック溝４６に嵌り込み、レンズ保護鏡筒８１がアクセサリ固定鏡筒４３に対して光軸方向、円周方向ともに略固定された状態となる。
【００４８】
突起ｃ８４がクリック溝４６に嵌り込むと同時に突起ａ６４がガイド溝４７の円周方向溝部の端に到達し、また、フック溝６５の突起ｂ８２に対する掛かりが解除される。この状態で突起ａ６４をガイド溝４７に沿わせ光学アクセサリ保持鏡筒６３を被写体側に抜き出すことにより、光学アクセサリ保持鏡筒６３をレンズ装置から取外すことができる。
【００４９】
上記のように、本実施例のレンズ装置によれば、光学アクセサリ保持鏡筒６３をレンズ装置に取付ける簡便な操作に伴ってレンズ保護鏡筒８１が光軸方向に退避する。このため、光学アクセサリの光学要素をレンズ保護鏡筒８１と干渉させることなくレンズ装置最前面のレンズ１１に接近させることができ、光学アクセサリの小型化、軽量化を図る上で有利となる。
【００５０】
本実施例のレンズ装置は、光学アクセサリ保持鏡筒６３を取付けない状態では被写体側から押圧してもレンズ保護鏡筒８１が光軸方向に移動しないため、光学アクセサリ保持鏡筒６３を取付けない状態でレンズ装置を置いても最前面のレンズ１１を傷つけることがない。
【００５１】
また、光学アクセサリ保持鏡筒６３を取付ける操作に伴ってレンズ保護鏡筒８１が光軸方向に退避するため、レンズ最前面のレンズ１１がレンズ装置の被写体側端となった状態でレンズ装置を置かれ、レンズ１１が傷つくことはない。
【００５２】
また、光学アクセサリ保持鏡筒６３を取外す操作に伴って、退避していたレンズ保護鏡筒８１が光学アクセサリ取付け前の位置に復帰し光軸方向に固定されるため、レンズ最前面のレンズ１１がレンズ装置の被写体側端となった状態でレンズ装置を置かれ、レンズ１１が傷つくことはない。
【実施例４】
【００５３】
前述の実施例１〜３においては、光学アクセサリ保持鏡筒に光学アクセサリが固定されるが、光学アクセサリ保持鏡筒は光学アクセサリの保持以外の機能を備えたものであっても構わない。例えば、図８に示すような光学アクセサリ保持部を備えたフード固定鏡筒６６をレンズ装置に取付ける場合にも、本発明は適用可能である。
【実施例５】
【００５４】
前述の実施例１〜４においては、いずれも図示のレンズ装置は広角タイプのレンズ装置であるが、本発明の適用対象はこれに限るものではない。また、前述の実施例１〜４においてはいずれも図示の光学アクセサリが光学フィルタであるが、本発明の適用対象はこれに限るものではない。例えば、図９に示すように、広角タイプではない光学系のレンズ装置に光学フィルタ以外の光学アクセサリ１３を取付ける場合にも、本発明は適用可能である。本実施例における光学アクセサリ保持鏡筒６７、レンズ保持鏡筒２９、レンズ保護鏡筒８５、アクセサリ固定鏡筒４８の構成および操作方法は実施例３と略同一である。
【符号の説明】
【００５５】
１３  ・・・光学アクセサリ
２１、２５、２８、２９  ・・・レンズ保持鏡筒
３１、３５、８１、８５  ・・・レンズ保護鏡筒
６１、６３、６７  ・・・光学アクセサリ保持鏡筒
【図１】
0005455586.tif 000002
【図２】
0005455586.tif 000003
【図３】
0005455586.tif 000004
【図４】
0005455586.tif 000005
【図５】
0005455586.tif 000006
【図６】
0005455586.tif 000007
【図７】
0005455586.tif 000008
【図８】
0005455586.tif 000009
【図９】
0005455586.tif 000010